(57)【要約】【課題】設備経済的な負担を増やすことなく、電動工具によるナット部材の解螺作業を効率的に行い得る締結金具及び型枠固定金具を提供する。【解決手段】型枠パネル１１の外側へ突出する型枠固定ネジ１８ａに締結されて、端材１２、１３を型枠パネル１１の外側に固定設置する型枠固定金具２０であって、型枠固定ネジ１８ａに締結されるボルト部材２１と、ボルト部材２１のネジ部２１ｃに螺合するナット部材２２と、型枠パネル１１との間で端材１２、１３を挟持する保持部材２２とを備え、ボルト部材２１の基端部に型枠固定ネジ１８ａに螺合するネジ穴２１ｂを形成し、ボルト部材２１の先端部にナット部材２２の脱落防止兼ボルト部材操作用の操作部２１ｄを形成し、操作部２１ｄとネジ部２１ｃ間にナット部材２２が空転可能なストレート部２１ｅを形成したものである。【選択図】図１
2010281045.tif 000002
【特許請求の範囲】
【請求項１】
ボルト部材とそれに螺合するナット部材とからなり、ボルト部材の先端部にナット部材の脱落防止兼ボルト部材操作用の操作部を形成し、前記ボルト部材のネジ部と操作部間に前記ナット部材が空転可能なストレート部を形成したことを特徴とする締結金具。
【請求項２】
型枠パネルの外側へ突出する型枠固定ネジに締結されて、型枠補強用の端材を型枠パネルの外側に固定設置する型枠固定金具であって、
前記型枠固定ネジに締結されるボルト部材と、前記ボルト部材に螺合するナット部材と、ナット部材よりも基端側のボルト部材に挿通され、ナット部材をボルト部材に締結することで、型枠パネルとの間で端材を挟持する保持部材とを備え、
前記ボルト部材の基端部に型枠固定ネジに螺合するネジ穴を形成し、
前記ボルト部材の先端部にナット部材の脱落防止兼ボルト部材操作用の操作部を形成し、
前記ボルト部材のネジ部と操作部間に前記ナット部材が空転可能なストレート部を形成した、
ことを特徴とする型枠固定金具。
【請求項３】
前記ストレート部をボルト部材の先端部まで形成し、ストレート部の先端部の両側部をかしめて前記操作部を形成した請求項２記載の型枠固定金具。
【請求項４】
前記ボルト部材の基端部に型枠パネルに当接する鍔部を形成した請求項２又は３記載の型枠固定金具。
【請求項５】
前記ナット部材と保持部材間においてボルト部材に座金を挿通配置した請求項２〜４のいずれか１項記載の型枠固定金具。
【発明の詳細な説明】
【技術分野】
【０００１】
本発明は、型枠の施工及び解体に好適に利用可能な締結金具及び型枠固定金具に関するものである。
【背景技術】
【０００２】
コンクリート構造物の施工用の型枠構造として、構造物の外面に沿うように型枠パネルを配置し、棒状部材からなるセパレータの両端部にコーン部材を螺合し、コーン部材のネジ部を型枠パネルに形成した取付孔に内側から装着して、型枠パネルの外面側に突出するネジ部に棒状の連結部材を螺合させ、コーン部材と連結部材間に型枠パネルを挟持して、セパレータの端部に型枠パネルを固定し、連結部材を挟んでその上下両側及び左右両側に丸パイプや角パイプからなる端材を配置し、端材を保持する保持部材を連結部材に装着した状態で、連結部材の端部にナット部材を締結して、保持部材と型枠パネル間に端材を挟持することで、型枠パネルを背面側から補強するように構成したものが広く実施されている（例えば、特許文献１参照。）。
【０００３】
ところで、連結部材としては、一端部にコーン部材のネジ部に螺合するネジ孔を形成し、他端部にナット部材が螺合するネジ部を形成したものが採用されている。また、保持部材やナット部材の紛失を防止するため、連結部材の途中部に保持部材を挿通させるとともにネジ部にナット部材を螺合させてから、連結部材の端部に、連結部材を電動工具にて回転操作するための操作部をかしめにより形成して、保持部材及びナット部材を連結部材と一体化させた型枠固定金具が実用化されている。また、このような型枠固定金具専用の電動工具のソケットも提案され、実用化されている（例えば、特許文献２参照。）。  
【先行技術文献】
【特許文献】
【０００４】
【特許文献１】特開平９−２４２３３４号公報
【特許文献２】実開平５−７８８１０号公報
【発明の概要】
【発明が解決しようとする課題】
【０００５】
ところで、保持部材及びナット部材を連結部材と一体化させた型枠固定金具を用いて、型枠パネルを施工したり解体したりする際には、ナット部材に適合するソケットと、連結部材の操作部に適合するソケットの２つのソケットを用いて、電動工具により行なうことになるが、型枠解体のためナット部材を解螺するときに、電動工具の電源スイッチの切断タイミングが遅れて、ナット部材が解螺方向に過剰に回転し、ナット部材が操作部に噛み込んで、ナット部材のネジ山が破損し、型枠固定金具を再利用できなくなるという問題があった。また、ネジ山が破損しないまでも、噛み込んだナット部材をハンバー等で叩いて、ナット部材の噛み込みを解除する必要があり、その作業が煩雑になるという問題があった。
【０００６】
一方、特許文献２記載のようなソケットを用いると、ナット部材と連結部材とを同時に解螺できるので、上記のような問題の発生を防止できる。しかし、ナット部材と操作部の位置関係が決まっているので、連結部材として長さの異なるものを用いている場合には、解体する型枠に応じて複数種類のソケットを用意する必要がある。また、型枠施工時には、連結部材とナット部材とをそれぞれ独立に締結する必要があるので、従来と同様に、ナット部材に適合するソケットと、連結部材の操作部に適合するソケットの２つのソケットを用いて行なう必要があり、解体専用のソケットを購入する分だけ設備経済的な負担が増えるという問題がある。
【０００７】
本発明の目的は、設備経済的な負担を増やすことなく、ナット部材を緩めるときにおける、ボルト部材の操作部へのナット部材の噛み込みを確実に防止して、電動工具によるナット部材の解螺作業を効率的に行い得る締結金具及び型枠固定金具を提供することである。
【課題を解決するための手段】
【０００８】
本発明に係る締結金具は、ボルト部材とそれに螺合するナット部材とからなり、ボルト部材の先端部にナット部材の脱落防止兼ボルト部材操作用の操作部を形成し、前記ボルト部材のネジ部と操作部間に前記ナット部材が空転可能なストレート部を形成したものである。
【０００９】
この締結金具では、操作部に適合するソケットと、ナット部材に適合するソケットの２つのソケットを用いて、締結金具を施工したり、解体したりすることになるが、ボルト部材におけるネジ部と操作部間にナット部材が空転可能なストレート部を形成しているので、ボルト部材からナット部材を電動工具で取り外す際に、ナット部材を緩める方向へ過剰に回転させたとしても、ナット部材がストレート部まで移動すると、ストレート部においてナット部材が空転して、それ以上に解螺方向に移動しないので、ナット部材が操作部に噛み込むことを確実に防止できる。このため、ナット部材が操作部に噛み込むことによる問題、即ちナット部材のネジ山が破損して、型枠固定金具が再利用できなくなったり、噛み込んだナット部材の解除作業が煩雑になったりする、という問題の発生を未然に防止できる。また、ストレート部においてナット部材が空転するので、締結金具の輸送時等の振動でボルト部材からナット部材が脱落するという不具合を防止して、ボルト部材やナット部材の紛失を防止できるし、施工した締結金具のナット部材が、振動等で緩んだ場合でも、ボルト部材からナット部材が脱落するという不具合を確実に防止できる。
【００１０】
本発明に係る型枠固定金具は、型枠パネルの外側へ突出する型枠固定ネジに締結されて、型枠補強用の端材を型枠パネルの外側に固定設置する型枠固定金具であって、前記型枠固定ネジに締結されるボルト部材と、前記ボルト部材に螺合するナット部材と、ナット部材よりも基端側のボルト部材に挿通され、ナット部材をボルト部材に締結することで、型枠パネルとの間で端材を挟持する保持部材とを備え、前記ボルト部材の基端部に型枠固定ネジに螺合するネジ穴を形成し、前記ボルト部材の先端部にナット部材の脱落防止兼ボルト部材操作用の操作部を形成し、前記ボルト部材のネジ部と操作部間に前記ナット部材が空転可能なストレート部を形成したものである。
【００１１】
この型枠固定金具を用いて型枠パネルを施工する際には、先ずボルト部材の操作部に電動工具のソケットを嵌合させて、型枠パネルから外側へ突出する型枠固定ネジにボルト部材を締結し、その後、型枠パネルと保持部材間に端材を配置させた状態で、ソケットをナット部材用に交換して、ナット部材を電動工具で締結し、型枠パネルと保持部材間に端材を挟持して、型枠を施工することになる。
【００１２】
また、型枠を解体する際には、先ず、電動工具でナット部材を緩めることになるが、このとき、ナット部材を緩める方向へ過剰に回転させたとしても、ナット部材がストレート部まで移動すると、ストレート部においてナット部材が空転して、それ以上に解螺方向に移動しないので、ナット部材が操作部に噛み込むという不具合を確実に防止できる。こうして、ナット部材を緩めて端材を取り外してから、操作部に嵌合する専用のソケットを電動工具に取付けて、ボルト部材を型枠固定ネジから取り外し、型枠を解体することになる。なお、ボルト部材の型枠パネル側の端部からストレート部までの長さは、少なくともナット部材をストレート部に嵌合させた状態で、保持部材をナット部材側へ移動させて、保持部材と型枠パネル間へ端材を着脱可能な隙間が形成されるような長さに設定されている。
【００１３】
前記型枠固定金具において、前記ストレート部をボルト部材の先端部まで形成し、ストレート部の先端部の両側部をかしめて前記操作部を形成することが好ましい実施例である。この場合には、操作部を従来と同様に安価に加工することができる。なお、前記締結金具のおいても、ストレート部の両側部をかしめて操作部を形成することができる。
【００１４】
前記ボルト部材の基端部に型枠パネルに当接する鍔部を形成することも好ましい実施例である。この場合には、ボルト部材の締め付け時における型枠パネルに対する面圧を、座金等を用いることなく、鍔部の大きさにより適正に調整することが可能となる。
【００１５】
前記ナット部材と保持部材間においてボルト部材に座金を挿通配置することもできる。この場合には、ナット部材と保持部材とボルト部材と座金とからなる型枠固定金具を一部品として取り扱うことができるので、これらの部品の紛失を確実に防止できる。
【発明の効果】
【００１６】
本発明に係る連結金具及び型枠固定金具によれば、ボルト部材におけるネジ部と操作部間にナット部材が空転可能なストレート部を形成するという簡単な構成で、ナット部材が操作部に噛み込むことを確実に防止でき、ナット部材が操作部に噛み込むことによる問題、即ちナット部材のネジ山が破損して、連結金具や型枠固定金具が再利用できなくなったり、噛み込んだナット部材の解除作業が煩雑になったりする、という問題の発生を未然に防止できる。また、ストレート部においてナット部材が空転するので、締結金具や型枠固定金具の輸送時等の振動でボルト部材からナット部材が脱落するという不具合を防止して、ボルト部材やナット部材の紛失を防止できるし、施工した締結金具のナット部材が、振動等で緩んだ場合でも、ボルト部材からナット部材が脱落するという不具合を確実に防止できる。
【００１７】
また、型枠固定金具においては、従来と同様に、操作部に適合するソケットと、ナット部材に適合するソケットの２つのソケットを用いて、型枠固定金具を解体した場合でも、ナット部材が操作部に噛み込むことを確実に防止できるので、特許文献２記載のような解体専用のソケットを用いることなく、効率的に型枠を解体することが可能となり、解体専用のソケットを用いる場合のように、設備経済的な負担が増えることもない。
【図面の簡単な説明】
【００１８】
【図１】型枠固定金具の配設位置における型枠構造の縦断面図
【図２】型枠固定金具の斜視図
【図３】ナット部材解螺時の説明図
【図４】ナット部材空転時の説明図
【図５】ボルト部材解螺時の説明図
【図６】図５のVI-VI線断面図
【図７】他の構成のボルト部材解螺時の説明図
【図８】図７のVIII-VIII線断面図
【発明を実施するための形態】
【００１９】
以下、本発明の実施例について図面を参照しながら説明する。
図１に示すように、コンクリート構造物を施工するための型枠構造１０は、構造物の施工位置の外面に沿うように配置される型枠パネル１１と、１対の型枠パネル１１を、設定間隔をあけて平行に保持するとともに、両型枠パネル１１の背面側にコンクリート打設圧を受け止める縦端材１２及び横端材１３を固定保持する型枠設置具１４とを備えている。
【００２０】
前記型枠設置具１４は、平行配置される１対の型枠パネル１１間に略水平に配置した棒状のセパレータ１５と、セパレータ１５の両端部に螺合されるコーン部材１６であって、型枠パネル１１を挿通して型枠パネル１１の外面側へ突出する型枠固定ネジ１８ａを有するコーン部材１６と、型枠パネル１１の外側において型枠固定ネジ１８ａに基端部をネジ止めされて、コーン部材１６との間で型枠パネル１１を挟持するボルト部材２１と、ボルト部材２１のネジ部２１ｃに螺合したナット部材２２と、ボルト部材２１におけるナット部材２２よりも型枠パネル１１側部分に挿通され、ナット部材２２をボルト部材２１に締結することで、型枠パネル１１との間で縦端材１２及び横端材１３を挟持して、両端材１２、１３を型枠パネル１１の背面側に固定保持する保持部材２３とを備えている。そして、この型枠設置具１４を平行配置した１対の型枠パネル１１に対して上下方向及び左右方向に設定間隔おきに取付けて、型枠パネル１１を施工することになる。
【００２１】
型枠パネル１１は、合板などの木製の板状部材や、金属材料や合成樹脂材料からなる板状部材で構成され、型枠パネル１１におけるコーン部材１６の取付位置には貫通孔からなる取付孔１１ａが形成されている。型枠パネル１１の厚さや取付孔１１ａの配設ピッチは、打設するコンクリート圧などに応じて適宜に設定できる。
【００２２】
セパレータ１５は、金属製の棒状部材からなる周知の構成のもので、その両端部にはネジ部１５ａが形成され、途中部には回り止め用の突部（図示略）が形成されている。セパレータ１５の直径や長さは、コンクリート構造物のサイズに応じて適宜に設定されている。
【００２３】
コーン部材１６は、合成樹脂製のコーン本体１７と、コーン本体１７の中央部にインサート成形等により一体的に設けた軸部材１８とを備えた周知の構成のもので、軸部材１８の一端部にはコーン本体１７から外方へ突出する型枠固定ネジ１８ａが形成され、軸部材１８の他端部にはセパレータ１５のネジ部１５ａが螺合するネジ孔１８ｂが形成されている。但し、コーン部材１６としては、図１に示すような構成以外の周知の構成のものを採用することもできる。
【００２４】
縦端材１２及び横端材１３は、型枠パネル１１間に打設したコンクリート圧を型枠パネル１１の背面側から受け止めるもので、丸パイプや角パイプなどからなる金属製のパイプ部材で構成され、ボルト部材２１の上下両側及び左右両側に配置される。但し、端材１２、１３として、木製の角材等を採用することも可能である。
【００２５】
図１、図２に示すように、ボルト部材２１とナット部材２２と保持部材２３とで、分解不能な一体部品としての型枠固定金具２０が構成される。ただし、型枠固定金具２０として、ナット部材２２と保持部材２３間においてボルト部材２１に座金を挿通配置したものも好ましい実施例である。
【００２６】
ボルト部材２１の基端部には型枠パネル１１に圧接される鍔部２１ａが一体的に形成され、ボルト部材２１の基端部の中央部には型枠固定ネジ１８ａに螺合するネジ孔２１ｂが形成されている。型枠パネル１１には、コーン部材１６の型枠固定ネジ１８ａが、型枠パネル１１の内側から取付孔１１ａを挿通して、型枠パネル１１の外面側へ突出状に設けられ、ボルト部材２１は、型枠固定ネジ１８ａをネジ孔２１ｂに螺合させることで、コーン部材１６に連結されるとともに、鍔部２１ａとコーン本体１７間に型枠パネル１１を挟持して、型枠パネル１１に固定される。そして、このようにコーン部材１６を型枠パネル１１に順次固定することで、１対の型枠パネル１１が複数のセパレータ１５及びコーン部材１６を介して設定間隔をあけて平行に配置されることになる。
【００２７】
ボルト部材２１の長さ方向の中央部と先端近傍間にはナット部材２２が螺合するネジ部２１ｃが形成され、ボルト部材２１の先端部にはナット部材２２の脱落防止兼ボルト部材操作用の操作部２１ｄが形成され、操作部２１ｄとネジ部２１ｃ間においてボルト部材２１にはナット部材２２が空転可能なストレート部２１ｅが形成されている。
【００２８】
ネジ部２１ｃには、送り量が大きく作業性が良好で、しかも付着したコンクリートの剥離性が良好であることから、断面半円状のネジ山を有するＲＢねじを形成することが好ましいが、三角ねじや台形ねじなど、周知の構成のねじを形成することもできる。
【００２９】
ストレート部２１ｅの直径はナット部材２２の内径よりも小径に構成され、ストレート部２１ｅの長さＬはナット部材２２の厚さよりも長く設定され、ナット部材２２はストレート部２１ｅにおいて空転するように構成されている。
【００３０】
操作部２１ｄとしては、長方形状の角孔３０ａを形成した既存のソケット３０で操作可能であれば、機械加工により形成したり、プレス成形により成形したりした任意の構成のものを採用することができる。特に、図５、図６に示す操作部２１ｄＡのように、ストレート部２１ｅをボルト部材２１の先端部まで形成し、該ストレート部２１ｅの先端部の両側部をかしめて形成することが、効率よく安価に製作できるので好ましい。また、図７、図８に示す操作部２１ｄＢのように、ストレート部２１ｅをボルト部材２１の先端部まで形成し、該ストレート部２１ｅの先端部を直径方向に扁平にかしめて形成することもできる。操作部２１ｄの外形寸法はナット部材２２の内径よりも大きく設定され、ストレート部２１ｅに移動したナット部材２２がストレート部２１ｅから脱落しないように構成されている。
【００３１】
保持部材２３は、両端を緩やかに湾曲させた平板状の連結壁２３ａと、連結壁２３ａの両側縁から連結壁２３ａの湾曲方向へ延びる側壁部２３ｂとを有し、金属板をプレス成形してなる断面コ字状の部材で構成されている。連結壁２３ａの中央部にはボルト部材２１のネジ部２１ｃが挿通する挿通孔２３ｃが形成され、側壁部２３ｂには横端材１３の外周に適合する円弧状の保持部２３ｄが形成されている。
【００３２】
型枠固定金具２０は、ボルト部材２１に保持部材２３を挿通させるとともに、ボルト部材２１のネジ部２１ｃにナット部材２２を螺合させてから、操作部２１ｄを形成することで、３つの部材がバラバラにならないように連結されている。また、ストレート部２１ｅにおいてナット部材２２が空転するので、締結金具の輸送時等の振動でボルト部材２１からナット部材２２が脱落するという不具合を防止して、ボルト部材２１やナット部材２２の紛失を防止できるし、施工した締結金具のナット部材２２が、振動等で緩んだ場合でも、ボルト部材２１からナット部材２２が脱落するという不具合を確実に防止できる。
【００３３】
次に、型枠固定金具２０を用いた型枠施工方法について説明する。なお、図１、図３〜図５、図７は、コンクリート構造物の施工後における型枠解体時の説明図であるが、この説明図は、コンクリート３２を省略することで、型枠施工時における説明図として利用できるので、型枠施工時の説明では、コンクリート３２がまだ打設されていないものとして、これらの図面を用いて説明するものとする。
【００３４】
先ず、構造物の施工位置に沿って型枠パネル１１を設置する。次に、セパレータ１５の両端部にコーン部材１６を固定して、コーン部材１６の型枠固定ネジ１８ａを型枠パネル１１から外側へ突出させて、平行配置される２枚の型枠パネル１１間にセパレータ１５及びコーン部材１６を架設状に設ける。
【００３５】
次に、図５に示すように、型枠パネル１１から外側へ突出する型枠固定ネジ１８ａにボルト部材２１を螺合させ、ボルト部材２１の操作部２１ｄにソケット３０を嵌合させて、電動工具でボルト部材２１を締付け、ボルト部材２１の鍔部２１ａとコーン部材１６間に型枠パネル１１を挟持して、型枠パネル１１にセパレータ１５とコーン部材１６を固定し、２枚の型枠パネル１１を一定間隔あけて平行に連結保持するとともに、型枠パネル１１にボルト部材２１を固定する。
【００３６】
このようにして、型枠パネル１１に対してセパレータ１５とコーン部材１６を固定するとともに、ボルト部材２１を順次固定してから、図４に示すように、型枠パネル１１の外面側においてボルト部材２１の両側に縦端材１２を配置するとともに、ボルト部材２１の上下両側に横端材１３を配置し、横端材１３の外面側に保持部材２３を配置させた状態で、ナット部材２２にソケット３１を外嵌させて、図３に示すように、電動工具でナット部材２２を締付けるという作業を順次行なって、図１に示すように、型枠を施工することになる。
【００３７】
こうして型枠を施工してから、型枠パネル１１間の空間へコンクリート３２を打設し、所定期間だけコンクリート３２を養生固化させて、構造物を施工し、その後型枠を解体することになる。
【００３８】
型枠解体時には、前記と逆の手順で、図３に示すように、ナット部材２２にソケット３１を外嵌させて、ナット部材２２を順次緩めて、縦端材１２と横端材１３とを取り外すことになる。このとき、ナット部材２２を緩めすぎたとしても、図４に示すように、ナット部材２２がストレート部２１ｅの位置まで移動すると、ストレート部２１ｅにおいてナット部材２２が空転して、それ以上にナット部材２２が解螺方向に移動しないので、ナット部材２２が操作部２１ｄに噛み込むことを確実に防止できる。このため、ナット部材２２が操作部２１ｄに噛み込むことによる問題、即ちナット部材２２のネジ山が破損して、型枠固定金具２０が再利用できなくなったり、噛み込んだナット部材２２の解除作業が煩雑になったりする、という問題の発生を未然に防止できる。
【００３９】
こうして、ナット部材２２を緩めた後、図５に示すように、操作部２１ｄにソケット３０を外嵌させて、電動工具でボルト部材２１を取り外し、型枠パネル１１を取り除いて解体を完了することになる。なお、型枠固定ネジ１８ａの先端部は、構造物の外面から突出するので、型枠固定ネジ１８ａを金槌で叩くなどして、型枠固定ネジ１８ａの先端側部分を、その基部に形成した溝部１８ｃにおいて破断させて除去することになる。
【００４０】
なお、本実施例では、型枠固定金具２０に本発明を適用した場合について説明したが、本発明は型枠固定金具２０以外の締結金具に対しても適用することができる。具体的には、ボルト部材２１とそれに螺合するナット部材２２とからなり、ボルト部材２１の先端部にナット部材２２の脱落防止兼ボルト部材操作用の操作部２１ｄを形成し、操作部２１ｄとネジ部２１ｃ間にナット部材２２が空転可能なストレート部２１ｅを形成したものであれば、任意用途の締結金具に本発明を適用できる。
【符号の説明】
【００４１】
１０      型枠構造          １１      型枠パネル
１１ａ    取付孔            １２      縦端材
１３      横端材            １４      型枠設置具
１５      セパレータ        １５ａ    ネジ部
１６      コーン部材        １７      コーン本体
１８      軸部材            １８ａ    型枠固定ネジ
１８ｂ    ネジ孔            １８ｃ    溝部
２０      型枠固定金具      ２１      ボルト部材
２１ａ    鍔部              ２１ｂ    ネジ孔
２１ｃ    ネジ部            ２１ｄ    操作部
２１ｄＡ  操作部            ２１ｄＢ  操作部
２１ｅ    ストレート部      ２２      ナット部材
２３      保持部材          ２３ａ    連結壁
２３ｂ    側壁部            ２３ｃ    挿通孔
２３ｄ    保持部
３０      ソケット          ３０ａ    角孔
３１      ソケット
３２      コンクリート
【図１】
2010281045.tif 000003
【図２】
2010281045.tif 000004
【図３】
2010281045.tif 000005
【図４】
2010281045.tif 000006
【図５】
2010281045.tif 000007
【図６】
2010281045.tif 000008
【図７】
2010281045.tif 000009
【図８】
2010281045.tif 000010